(57)【特許請求の範囲】
【請求項１】
環状透光部を有する表示板と、前記環状透光部を透過照明する発光素子と、前記環状透光部を透過した光によって光輝するリング部材と、前記リング部材の前面を所定幅で露出させる開口部を有する遮光部材と、を備え、前記環状透光部の幅は、前記所定幅よりも大きいことを特徴とする表示装置。
【請求項２】
環状透光部を有する表示板と、前記表示板を指示する指針と、前記指針を回動させる指針駆動部と、前記環状透光部を透過照明する発光素子と、前記環状透光部を透過した光によって光輝するリング部材と、前記リング部材の前面を所定幅で露出させる開口部を有する遮光部材と、を備え、前記環状透光部の幅は、前記所定幅よりも大きいことを特徴とする表示装置。
【請求項３】
前記環状透光部の内側直径は、前記開口部の直径よりも大きいことを特徴とする請求項１または請求項２に記載の表示装置。
【請求項４】
前記リング部材は、傾斜反射面を有することを特徴とする請求項１または請求項２に記載の表示装置。
【発明の詳細な説明】
【技術分野】
【０００１】
本発明は、光輝するリング部材を備えた表示装置に関するものである。
【背景技術】
【０００２】
従来より、表示板を透過した光によってリング部材を光輝させる表示装置が種々提案されており、例えば特許文献１，特許文献２に開示されている。斯かる表示装置は、リング部材を所定幅で光輝させることにより、装飾性を向上させるものである。
【先行技術文献】
【特許文献】
【０００３】
【特許文献１】特開２００２−２５７６０２号公報
【特許文献２】特開２００２−２２８４９３号公報
【発明の概要】
【発明が解決しようとする課題】
【０００４】
しかしながら、リング部材の幅が若干大きいため、必ずしも装飾性が高いものではなかった。つまり、リング部材を幅狭で光輝させるようなデザインが望まれているが、光輝させる幅が狭い場合、全体の光量が少なくなるため、装飾性が低下するという問題を有していた。
本発明は、この問題に鑑みなされたものであり、リング部材を幅狭で、且つ、高輝度で光輝させることができる表示装置を提供するものである。
【課題を解決するための手段】
【０００５】
本発明は、環状透光部４２を有する表示板４０と、前記環状透光部４２を透過照明する発光素子２６，２７と、前記環状透光部４２を透過した光によって光輝するリング部材８０と、前記リング部材８０の前面８１ｄを所定幅Ｗ１で露出させる開口部７２を有する遮光部材７０と、を備え、前記環状透光部４２の幅Ｗ２は、前記所定幅Ｗ１よりも大きいものである。
【０００６】
また、本発明は、環状透光部４２を有する表示板４０と、前記表示板４０を指示する指針１０と、前記指針１０を回動させる指針駆動部２２と、前記環状透光部４２を透過照明する発光素子２６，２７と、前記環状透光部４２を透過した光によって光輝するリング部材８０と、前記リング部材８０の前面８１ｄを所定幅Ｗ１で露出させる開口部７２を有する遮光部材７０と、を備え、前記環状透光部４２の幅Ｗ２は、前記所定幅Ｗ１よりも大きいものである。
【０００７】
また、本発明は、前記環状透光部４２の内側直径Ｄ２は、前記開口部７２の直径Ｄ１よりも大きいものである。
【０００８】
また、本発明は、前記リング部材８０は、傾斜反射面８１ｂを有するものである。
【発明の効果】
【０００９】
リング部材の前面の一部を遮光部材で隠すことにより、リング部材が幅狭で光輝しているように視認させることができる。且つ、表示板の環状透光部の幅を、リング部材を露出させる所定幅よりも大きくすることにより、リング部材を高輝度で光輝させることができる。
【図面の簡単な説明】
【００１０】
【図１】本発明の実施形態を示す断面図。
【図２】同上実施形態を示す正面図。
【図３】同上実施形態を示す要部拡大断面図。
【図４】同上実施形態を示す要部拡大断面図。
【図５】同上実施形態を示すリング部材の正面図。
【図６】本発明の他の実施形態を示す断面図。
【発明を実施するための形態】
【００１１】
以下、添付図面に基づいて、本発明の一実施形態を説明する。車両用表示装置は、指針１０と、回路基板２０と、ケース体３０と、表示板４０と、液晶表示器５０と、ハウジング６０と、見返し部材７０と、リング部材８０と、を備えている。
【００１２】
指針１０は、透光性樹脂からなる指示部１１と、不透明な樹脂からなる指針キャップ１２と、回動軸２２ａが圧入されるボス部１３と、指示部１１を載置する指針座１４とを有している。指針１０は、表示板４０の指標部４１を指示部１１にて指示する。指針１０のボス部１３及び指針座１４は、黒色樹脂にて一体形成されている。回路基板２０は、基板本体２１と、基板本体２１の後面側に実装された指針駆動部２２と、基板本体２１の表面側に実装された発光素子２４，２５，２６と、を備えており、表示板４０の後側に配置されている。
【００１３】
基板本体２１は、平板状のガラスエポキシ系基材に、指針駆動部２２を駆動させる駆動回路、発光素子２４，２５，２６を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５，２６を発光させる。
【００１４】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、正面視で円形状になっている。
【００１５】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が表示板４０の指標部４１を指示する。
【００１６】
発光素子２４，２５，２６は、夫々、１個以上の発光ダイオード等によって構成される。発光素子２４は、表示板４０の指標部４１を透過照明する。発光素子２５は、指針１０の指示部１１を光輝させる。発光素子２６は、表示板４０の環状透光部４２を透過照明する。発光素子２４，２５，２６は、制御部から供給される制御信号に基づいて駆動され、車両運転者によって操作されるイルミネーションスイッチ等に応じてオン／オフされる。
【００１７】
ケース体３０は白色の合成樹脂（例えば、ポリプロピレン）からなり、このケース体３０に回路基板２０が固定されている。ケース体３０は、垂直部３１，傾斜部３２，傾斜部３４，垂直部３５，３６を有している。ケース体３０の垂直部３１は、円筒形状になっており、前端が表示板４０の後面に当接し、後端が回路基板２０の前面に当接している。
【００１８】
ケース体３０の垂直部３１は、発光素子２４が発する照明光と、発光素子２５が発する照明光とが混合されることを防ぐ遮光壁になっている。ケース体３０の傾斜部３２は、垂直部３１の外周面から逆円錐状に広がる形状になっている。ケース体３０の傾斜部３２は、発光素子２４が発した照明光を傾斜部３４に向けて反射させる。ケース体３０の傾斜部３４は、逆円錐状になっている。ケース体３０の傾斜部３４は、発光素子２４が発した照明光を表示板４０に向けて反射させる。
【００１９】
ケース体３０の垂直部３５，３６は、円筒形状になっており、後端が回路基板２０の前面に当接している。ケース体３０の垂直部３５，３６は、発光素子２６の照明室を形成している。ケース体３０の垂直部３５は、傾斜部３４の外周端に連なっている。ケース体３０の垂直部３５，３６は、前端が表示板４０の後面に当接し、後端が回路基板２０の前面に当接している。
【００２０】
表示板４０は、指標部４１と、環状透光部４２とを有している。表示板４０には、複数の指標部４１が、貫通孔４０ｃを中心とした円弧状に配置されている。表示板４０の指標部４１は、発光素子２４が発した照明光によって透過照明される。表示板４０の環状透光部４２は、貫通孔４０ｃを中心とした円環状になっており、発光素子２６が発した照明光によって透過照明される。
【００２１】
表示板４０は、ポリカーボネート等の透光性樹脂からなる透光性基板４３の前後面に各種印刷層を形成したものである。透光性基板４３の前面には、白色層４４，スモーク層４５，遮光層４６がスクリーン印刷にて形成されている。遮光層４６には開口４６ａが形成されており、この開口４６ａが指標部４１になっている。また、遮光層４６には開口４６ｂが形成されており、この開口４６ｂが環状透光部４２になっている。表示板４０の環状透光部４２の内側直径Ｄ２は、見返し部材７０の開口部７２の直径よりも大きくなっている。
【００２２】
表示板４０の指標部４１及び環状透光部４２には、遮光層４６は形成されていない。表示板４０の指標部４１は、白色層４４によって、白色で視認される。表示板４０には、見返し部材７０の位置決めピン７５が挿通される円形の貫通孔４０ａが形成されている。表示板４０の貫通孔４０ａの直径は、位置決めピン７５の直径よりも大きくなっている。
【００２３】
透光性基板４３の後面には、薄青色層４７がスクリーン印刷にて形成されている。薄青色層４７は、環状透光部４２よりも若干大きい範囲に形成されており、透光性基板４３を介してスモーク層４５に対向している。表示板４０の環状透光部４２は、透光性基板４３の前面に形成されたスモーク層４５と、透光性基板４３の後面に形成された薄青色層４７とを有する。
【００２４】
液晶表示器５０は、ＴＦＴ型液晶表示モジュールからなるものであり、積算走行距離等の車両情報が表示される。液晶表示器５０は、２個の指針式計器（速度計及び回転計）の間に配置されている。液晶表示器５０は、回路基板２０に搭載されたマイコンにより表示制御される。
【００２５】
見返し部材７０は、不透明な樹脂からなるものであり、表示板４０の前側に配設されている。見返し部材７０には、液晶表示器５０の画像を視認するための矩形の開口部７１と、２個の指針式計器（速度計及び回転計）を視認するための円形の開口部７２とが形成されている。見返し部材７０には、リング部材８０を位置決めするための位置決めピン７５が形成されている。見返し部材７０の位置決めピン７５は、細い略円柱形状になっている。
【００２６】
リング部材８０は、乳白色の透光性樹脂からなるものであり、表示板４０の前側に配設されている。リング部材８０は、円環状のリング部８１と、このリング部８１を見返し部材７０に位置決めするための４個の位置決め部８２と、を有している。リング部材８０のリング部８１は、表示板４０の環状透光部４２を透過してきた照明光を反射させる傾斜反射面８１ｂを有している。リング部８１の傾斜反射面８１ｂは、円錐面になっている。
【００２７】
リング部８１の内周面８１ｃは、円筒面になっている。リング部８１の内周面８１ｃの直径Ｄ３は、開口部７２の直径Ｄ１よりも小さくなっている。リング部８１の後面８１ｆと、位置決め部８２の後面８２ｆとは、同一平面になっており、リング部８１の後面８１ｆ及び位置決め部８２の後面８２ｆは、表示板４０の前面に当接している。
【００２８】
リング部材８０の位置決め部８２には、円形の貫通孔８２ａが形成されており、この貫通孔８２ａに見返し部材７０の位置決めピン７５が挿通される。リング部８１の前面８１ｄは、見返し部材７０のフランジ部７６に当接している。リング部８１の前面８１ｄは、所定幅Ｗ１だけ露出するように、見返し部材７０のフランジ部７６で覆われる。表示板４０の環状透光部４２の幅Ｗ２は、リング部８１の所定幅Ｗ１よりも大きくなっている。
【００２９】
発光素子２６が発した照明光は、表示板４０の環状透光部４２を透過し、リング部８１の後面８１ｆから入射し、リング部材８０のリング部８１を薄青色で光輝させる。見返し部材７０の開口部７２にて、リング部８１の前面８１ｄを所定幅Ｗ１で露出させることにより、リング部材８０が所定幅Ｗ１で光輝しているように視認させることができる。
【００３０】
リング部材８０の前面８１ｄの一部を見返し部材７０で隠すことにより、リング部材７０が幅狭で光輝しているように視認させることができる。表示板４０の環状透光部４２の半径方向の幅Ｗ２を、リング部８１を露出させる所定幅Ｗ１よりも大きくすることにより、リング部８１の後面８１ｆに入射する光量を多くすることができ、リング部材８０を高輝度で光輝させることができる。
【００３１】
なお、本発明は、本実施形態に限定されるものではなく、種々の変形が可能である。例えば、本実施形態は、表示板４０の指標部４１及び環状透光部４２を別個の発光素子２４，２６で透過照明するものであったが、図６に示す他の実施形態のように、表示板４０の指標部４１及び環状透光部４２を発光素子２７で透過照明する構造にしても良い。また、遮光部材は、不透明な樹脂からなる装飾リングであっても良い。
【符号の説明】
【００３２】
１０    指針
２０    回路基板
２２    指針駆動部
２６    発光素子
２７    発光素子
３０    ケース体
４０    表示板
４１    指標部
４２    環状透光部
４３    透光性基板
４４    白色層
４５    スモーク層
４６    遮光層
４７    薄青色層
５０    液晶表示器
６０    ハウジング
７０    見返し部材（遮光部材）
７１    開口部
７２    開口部
７５    位置決めピン
８０    リング部材
８１    リング部
８１ｂ  傾斜反射面
８１ｄ  前面
８２    位置決め部
Ｗ１    所定幅
Ｄ１    直径
Ｄ２    内側直径
【図１】
0006361363.tif 000002
【図２】
0006361363.tif 000003
【図３】
0006361363.tif 000004
【図４】
0006361363.tif 000005
【図５】
0006361363.tif 000006
【図６】
0006361363.tif 000007